(57)【要約】      （修正有）【課題】電力系統の電力供給経路の変更時における、遮断器による不適切な遮断を防ぎ、安定した電力供給を行うことができる電力系統保護システムおよび電力系統保護装置を提供する。【解決手段】電力系統における電力供給線を開閉する複数の遮断器３ａ〜３ｄと、電力系統における所望の遮断器を遮断する遮断信号を出力する電力系統保護装置２ａ、２ｂを有する電力系統保護システムで１ある。電力系統保護装置は、複数の遮断器３ａ〜３ｄの開閉状態を検出し、複数の遮断器３ａ〜３ｄの全てが閉状態である時に、ロック信号を出力する開閉検出部と、電力系統における所望の電流を検出し、電流の異常が検出された時に異常信号を出力する電流検出部と、電流検出部２１から異常信号が出力された場合であり、かつ開閉検出部２２からロック信号が出力されないときに、電力系統に接続された所望の遮断器３に、遮断信号を出力する出力部と、を備える。【選択図】図１
2019068692.tif 000002
【特許請求の範囲】
【請求項１】
電力系統における電力供給線を開閉する複数の遮断器と、
前記電力系統における所望の遮断器を遮断する遮断信号を出力する電力系統保護装置を有する電力系統保護システムであって、
前記電力系統保護装置は、
前記複数の遮断器の開閉状態を検出し、前記複数の遮断器の全てが閉状態である時に、ロック信号を出力する開閉検出部と、
前記電力系統における所望の電流を検出し、電流の異常が検出された時に異常信号を出力する電流検出部と、
前記電流検出部から異常信号が出力された場合であり、かつ前記開閉検出部からロック信号が出力されないときに、前記電力系統に接続された前記所望の遮断器に、遮断信号を出力する出力部と、を備えた、
電力系統保護システム。
【請求項２】
前記複数の遮断器は、少なくとも前記電力系統における本線の電力供給線を開閉する第１の遮断器と、前記電力系統における予備線の電力供給線を開閉する第２の遮断器とを含み、
前記電力系統保護装置の開閉検出部は、少なくとも前記第１の遮断器および前記第２の遮断器の開閉状態を検出する、請求項１に記載の電力系統保護システム。
【請求項３】
前記電力系統保護装置の電流検出部は、電流の異常として、地絡電流または過大電流が検出された時に異常信号を出力する、請求項１乃至２のいずれか１項に記載の電力系統保護システム。
【請求項４】
前記電力系統保護装置の開閉検出部は、前記複数の遮断器の開閉状態を検出し論理積を演算する論理回路を有する、請求項１乃至３のいずれか１項に記載の電力系統保護システム。
【請求項５】
前記電力系統保護装置の開閉検出部は、前記複数の遮断器の開閉状態を検出するスイッチが直列に接続され、前記複数の遮断器の全てが閉状態である時に導通となる、ループ回路を有する、請求項１乃至３のいずれか１項に記載の電力系統保護システム。
【請求項６】
電力系統における電力供給線を開閉する複数の遮断器の開閉状態を検出し、前記複数の遮断器の全てが閉状態である時に、ロック信号を出力する開閉検出部と、
前記電力系統における所望の電流を検出し、電流の異常が検出された時に異常信号を出力する電流検出部と、
前記電流検出部から異常信号が出力された場合であり、かつ前記開閉検出部からロック信号が出力されないときに、前記電力系統に接続された所望の遮断器に、遮断信号を出力する出力部と、を備えた、
電力系統保護装置。
【請求項７】
前記電力系統保護装置の電流検出部は、電流の異常として、地絡電流または過大電流が検出された時に異常信号を出力する、請求項６に記載の電力系統保護装置。
【請求項８】
前記電力系統保護装置の開閉検出部は、前記複数の遮断器の開閉状態を検出し論理積を演算する論理回路を有する、請求項６乃至７のいずれか１項に記載の電力系統保護装置。
【請求項９】
前記電力系統保護装置の開閉検出部は、前記複数の遮断器の開閉状態を検出するスイッチが直列に接続され、前記複数の遮断器の全てが閉状態である時に導通となる、ループ回路を有する、請求項６乃至７のいずれか１項に記載の電力系統保護装置。
【発明の詳細な説明】
【技術分野】
【０００１】
本実施形態は、電力系統を保護するために設けられた、電力供給線を遮断するための遮断器を制御する電力系統保護システムおよび電力系統保護装置に関する。
【背景技術】
【０００２】
電力系統を保護するシステムとして、事故が発生した電力供給線を、他の電力供給線から遮断する電力系統保護システムが知られている。この種のシステムは、事故が発生した電力供給線を遮断する遮断器と、電流の異常を検出し遮断器を遮断するための制御信号を送信する保護継電器を備える。
【先行技術文献】
【特許文献】
【０００３】
【特許文献１】特開平５−１７６４４８号公報
【発明の概要】
【発明が解決しようとする課題】
【０００４】
従来の電力系統保護システムは、事故が発生した電力供給線を遮断する遮断器と、電流の異常を検出し遮断器を遮断するための制御信号を送信する保護継電器を備える。保護継電器は系統の各所に設けられ、地絡電流または過大電流を検出し、事故の発生を検出する。保護継電器によって地絡電流または過大電流が検出されると、保護継電器は遮断器を遮断するための制御信号を送信する。
【０００５】
電力設備のメンテナンス時に、本線から予備線に、電力供給経路の切換えを行う場合がある。このとき負荷の停電を避けるため、本線に接続された遮断器と、予備線に接続された遮断器が同時に閉路状態となる時間帯が存在する。しかしながら、電力系統の各所に設けられた保護継電器が、本線から予備線への電力供給源の切換え時に発生する電流を地絡電流または過大電流と誤認して、電力供給に必要な遮断器まで遮断してしまうという問題点があった。このような、遮断器の誤認または所望されない遮断は、負荷に対する不測の停電を招き不都合であった。
【０００６】
本実施形態は、電力系統の電力供給経路の変更時における、遮断器による不適切な遮断を防ぎ、安定した電力供給を行うことができる電力系統保護システムおよび電力系統保護装置を提供することを目的とする。
【課題を解決するための手段】
【０００７】
本実施形態の電力系統保護システムは、次の構成を有する。
（１）電力系統における電力供給線を開閉する複数の遮断器。
（２）前記電力系統における所望の遮断器を遮断する遮断信号を出力する電力系統保護装置。
【０００８】
電力系統保護装置は、次の構成を有する。
（２−１）前記複数の遮断器の開閉状態を検出し、前記複数の遮断器の全てが閉状態である時に、ロック信号を出力する開閉検出部。
（２−２）前記電力系統における所望の電流を検出し、電流の異常が検出された時に異常信号を出力する電流検出部。
（２−３）前記電流検出部から異常信号が出力された場合であり、かつ前記開閉検出部からロック信号が出力されないときに、前記電力系統に接続された前記所望の遮断器に、遮断信号を出力する出力部。
【図面の簡単な説明】
【０００９】
【図１】第１実施形態にかかる電力系統保護システムを示す図
【図２】第１実施形態の電力系統保護装置の構成を示す図
【図３】他の実施形態の電力系統保護装置の構成を示す図
【発明を実施するための形態】
【００１０】
［１．第１実施形態］
［１−１．システムの全体構成］
図１を参照して本実施形態の電力系統保護システムについて説明する。
【００１１】
一例として本実施形態の電力系統保護システム１は、保護継電器２、遮断器３を有する。保護継電器２が、請求項中の電力系統保護装置に相当する。また、明細書において保護継電器２を、電力系統保護装置２と呼ぶ場合がある。遮断器３は、電力系統の電力供給線８に接続される。電力供給線８は電力供給源９からの電力を負荷に供給する。なお、本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。
【００１２】
（電力供給源９）
電力供給源９は、電力を供給するための発電機や変電器等により構成される。電力供給源９ａは本線である電力供給線８ａに、電力供給源９ｂは予備線である電力供給線８ｂに接続され、電力を供給する。電力供給源９は、発電所や変電所に配置される。
【００１３】
（電力供給線８）
電力供給線８は、電力を負荷へ供給するための電路である。電力供給線８は、電力供給源９により供給された電力を、遮断器３を介し負荷へ供給する。
【００１４】
（遮断器３）
遮断器３は、ガス遮断器のような電流開閉装置等により構成される。遮断器３は、電力供給線８に電気的に直列に接続される。遮断器３は、電力供給経路の切換え時等に、開路状態、閉路状態にされる。また、遮断器３は、保護継電器２から出力された遮断信号に基づき開路状態となる。遮断器３は、電力供給線８の近傍の変電所設備等に設けられる。
【００１５】
遮断器３ａは、電力供給線８ａ、８ｃの間に、電気的に直列に接続される。遮断器３ａは、閉路状態である時に、電力供給線８ａを介し供給された電力供給源９ａからの電力を、電力供給線８ｃに供給する。遮断器３ａは、開路状態である時に、電力供給線８ａを介し供給された電力供給源９ａからの電力を遮断し、電力供給線８ｃに供給しない。遮断器３ａが閉路状態である時に、電力供給源９ａからの電力が負荷に供給される。一方、遮断器３ａが開路状態である時に、電力供給源９ａからの電力が負荷に供給されない。
【００１６】
遮断器３ｂは、電力供給線８ｂ、８ｄの間に、電気的に直列に接続される。遮断器３ｂは、閉路状態である時に、電力供給線８ｂを介し供給された電力供給源９ｂからの電力を、電力供給線８ｄに供給する。遮断器３ｂは、開路状態である時に、電力供給線８ｂを介し供給された電力供給源９ｂからの電力を遮断し、電力供給線８ｄに供給しない。
【００１７】
遮断器３ｃは、電力供給線８ｃ、８ｅの間に、電気的に直列に接続される。遮断器３ｃは、閉路状態である時に、電力供給線８ｃ、８ｅを導通する。遮断器３ｃは、開路状態である時に、電力供給線８ｃ、８ｅを遮断する。
【００１８】
遮断器３ｄは、電力供給線８ｄ、８ｅの間に、電気的に直列に接続される。遮断器３ｄは、閉路状態である時に、電力供給線８ｄ、８ｅを導通する。遮断器３ｃは、開路状態である時に、電力供給線８ｄ、８ｅを遮断する。
【００１９】
遮断器３ｃおよび遮断器３ｄが共に閉路状態である時に、電力供給線８ｄ、８ｅ、８ｃは導通となる。遮断器３ｂ、遮断器３ｃ、遮断器３ｄが共に閉路状態である時に、電力供給源９ｂからの電力が負荷に供給される。遮断器３ｂ、遮断器３ｃ、遮断器３ｄが共に閉路状態である時に、電力供給源９ｂからの電力が負荷に供給される。一方、遮断器３ｂ、遮断器３ｃ、遮断器３ｄのうち、いずれか一つが開路状態である時に、電力供給源９ｂからの電力が負荷に供給されない。
【００２０】
電力供給源９ａによる本線からの電力給電時に、遮断器３ａは閉路状態となり、遮断器３ｂ、３ｃ、３ｄは開路状態となる。電力供給源９ｂによる予備線からの電力給電時に、遮断器３ｂ、３ｃ、３ｄは閉路状態となり、遮断器３ａは開路状態となる。本線から予備線、または予備線から本線へ電力供給経路を切換える時に、遮断器３ａ、３ｂ、３ｃ、３ｄとも閉路状態となる時間帯がある。
【００２１】
（保護継電器２）
保護継電器２は、入力された信号に応じ遮断器３を遮断するための信号を出力する、遮断器３の開閉を制御するための装置である。保護継電器２は、差動電流継電装置等により構成される。保護継電器２の出力側は、遮断の対象となる遮断器３が接続される。保護継電器２には、電力供給線８に設置された変流器（図中不示）から、測定対象となる電力供給線８の電流に関する信号が入力される。また、保護継電器２には、各遮断器３の開閉状態を示す信号が入力される。
【００２２】
保護継電器２は、入力された電力供給線８の電流に関する信号に基づき、地絡電流または過大電流の有無を判断する。保護継電器２は、地絡電流または過大電流があると判断した場合、入力された各遮断器３の開閉状態に応じ、遮断信号を出力する。保護継電器２から出力された遮断信号により、保護継電器２に接続された遮断器３が遮断される。保護継電器２は、各遮断器３の近傍の変電設備内に設置される。
【００２３】
保護継電器２ａ、２ｂには、遮断器３ａ〜３ｄの開閉状態を示す信号が入力される。
【００２４】
保護継電器２ａは、電力供給線８ｃの電流Ｉ１を観測し、地絡電流または過大電流の有無を判断する。保護継電器２ａは、地絡電流または過大電流があると判断した場合、入力された遮断器３ａ〜３ｄの開閉状態に応じ、遮断器３ａに遮断信号を出力する。
【００２５】
保護継電器２ｂは、電力供給線８ｂの電流Ｉ２を観測し、地絡電流または過大電流の有無を判断する。保護継電器２ｂは、地絡電流または過大電流があると判断した場合、入力された遮断器３ａ〜３ｄの開閉状態に応じ、遮断器３ｂに遮断信号を出力する。
【００２６】
［１−２．保護継電器２の構成］
図２に保護継電器２の構成を示す。一例として保護継電器２ａを例にとり構成を説明する。保護継電器２ｂの構成も保護継電器２ａと同様である。図１における、保護継電器２ａ、２ｂは同様の構成となっており、外部との接続のみが異なる。
【００２７】
保護継電器２ａは、電流検出部２１、開閉検出部２２、出力部２３を有する。保護継電器２ａは、電流検出部２１に入力された電流に基づき地絡電流または過大電流の有無を判断する。保護継電器２ａは、電流検出部２１が地絡電流または過大電流があると判断した場合、開閉検出部２２により検出された各遮断器３ａ、３ｂ、３ｃ、３ｄの開閉状態に応じ、出力部２３から遮断信号を出力する。保護継電器２の出力部２３から出力された遮断信号により、遮断器３ａが遮断される。
【００２８】
（電流検出部２１）
電流検出部２１は、過電流検出回路および不平衡電流検出回路等により構成される。電流検出部２１は、入力側が、電力供給線８ｃに設置された三相の変流器（図中不示）に接続される。電流検出部２１は、出力側が、出力部２３に接続される。
【００２９】
電流検出部２１は、測定対象となる電力供給線８ｃに流れる三相電流Ｉ１のＲ相、Ｓ相、Ｔ相毎の電流に関する信号が入力される。電流検出部２１は、三相電流Ｉ１のＲ相、Ｓ相、Ｔ相の各相の電流を観測し、地絡電流または過大電流の有無を判断する。地絡電流または過大電流があると判断した場合、電流検出部２１は、出力部２３に異常信号を出力する。
【００３０】
電力供給線８ｃの電流Ｉ１のＲ相、Ｓ相、Ｔ相の不平衡電流が、予め設定された設定値より大きい場合、地絡電流があると判断される。電力供給線８ｃの電流Ｉ１のＲ相、Ｓ相、Ｔ相の電流のうち少なくとも一つの電流が予め設定された設定値より大きい場合、過大電流があると判断される。異常信号は、地絡電流があると判断された場合、または過大電流があると判断された場合に、電流検出部２１から出力される。
【００３１】
（開閉検出部２２）
開閉検出部２２は、ステータス受信回路と論理ゲート回路により構成される。開閉検出部２２は、入力側が、遮断器３ａ〜３ｄに接続される。開閉検出部２２は、出力側が、出力部２３に接続される。開閉検出部２２は、遮断器３ａ〜３ｄの開閉状態を示すステータス信号が入力される。開閉検出部２２は、入力された遮断器３ａ〜３ｄの開閉状態を示すステータス信号を受信して開閉状態を検出する。
【００３２】
開閉検出部２２は、遮断器３ａ〜３ｄの開閉状態を示すデジタル信号の論理積を演算し、この論理積が「１」である場合、つまり遮断器３ａ〜３ｄが全て閉状態である場合に、ロック信号を、出力部２３に出力する。ロック信号は、論理「０」であるデジタル信号である。
【００３３】
（出力部２３）
出力部２３は、論理ゲート回路により構成される。出力部２３は、入力側が、電流検出部２１、開閉検出部２２に接続される。出力部２３は、出力側が、遮断器３ｃに接続される。出力部２３は、電流検出部２１から送信された異常信号、開閉検出部２２から送信されたロック信号が入力される。出力部２３は、入力された異常信号とロック信号の論理積を演算し、遮断信号を出力する。
【００３４】
出力部２３は、開閉検出部２２から送信されたロック信号が、論理「０」である場合、電流検出部２１から異常信号が送信されても、出力部２３から遮断信号を出力しない。一方、出力部２３は、開閉検出部２２から送信されたロック信号が、論理「１」である場合、電流検出部２１から異常信号が送信されると、出力部２３から遮断信号を出力する。
【００３５】
つまり、出力部２３は、遮断器３ａ〜３ｄが全て閉路状態である時、電流検出部２１からの異常信号の送信の有無にかかわらず、出力部２３から遮断信号を出力しない。出力部２３は、遮断器３ａ〜３ｄの少なくとも一つが開路状態である時で、かつ電流検出部２１から送信された異常信号が送信された場合、出力部２３から遮断信号を出力する。
【００３６】
出力部２３から遮断信号が出力された場合、保護継電器２ｃに接続された遮断器３ｃが遮断される。
【００３７】
［１−３．作用］
次に、本実施形態の動作を図１〜２に基づき説明する。
【００３８】
［本線から予備線への電力供給経路の切換え前］
電力系統に本線からの電力が供給されている時、遮断器３ａが閉路状態となり、電力供給源９ａからの電力が、負荷に供給される。一方、遮断器３ｂ、３ｃ、３ｄは開路状態となり、電力供給源９ｂからの電力は、負荷に供給されない。
【００３９】
［本線から予備線への電力供給経路の切換え時］
電力供給源９ａに接続された本線から、電力供給源９ｂに接続された予備線に電力供給経路を切換える切換え作業は、以下の手順にて行われる。電力設備のメンテナンス時や事故発生時に、電力の供給経路を、本線からの予備線に切換えることが必要とされる場合がある。
【００４０】
この電力供給経路の切換え作業は、各遮断器３を開閉することにより行われる。最初に、遮断器３ｂ、３ｃ、３ｄが閉路状態とされる。負荷の停電を避けるために、この状態では、遮断器３ａ、３ｂ、３ｃ、３ｄとも閉路状態となる。次に、遮断器３ａが開路状態とされる。この状態では、遮断器３ｂ、３ｃ、３ｄが閉路状態であり、遮断器３ａは開路状態となる。これにより本線から予備線への電力供給経路の切換え作業が終了となる。
【００４１】
［本線から予備線への電力供給経路の切換え後］
遮断器３ｂ、３ｃ、３ｄが閉路状態となり、電力供給源９ｂからの電力が、負荷に供給される。一方、遮断器３ａは開路状態となり、電力供給源９ａからの電力は、負荷に供給されない。
【００４２】
［保護継電器２ａの動作］
電力供給経路の切換え作業中に、遮断器３ａ、３ｂ、３ｃ、３ｄとも閉路状態となる時間帯がある。遮断器３ａ、３ｂ、３ｃ、３ｄとも閉路状態となるに時に、電流Ｉ１の三相電流がアンバランスとなる不平衡電流や突入電流が発生する場合がある。この不平衡電流や突入電流が、地絡電流または過大電流と誤認されて検出され、電力供給に必要な遮断器が遮断されてしまうことは不適切である。このような、誤認または所望されない遮断器の遮断は、負荷に対する不測の停電を招き不都合であるためである。
【００４３】
保護継電器２ａの電流検出部２１は、測定対象となる電力供給線８ｃに流れる三相電流Ｉ１のＲ相、Ｓ相、Ｔ相毎の電流に関する信号が入力される。電流検出部２１は、三相電流Ｉ１のＲ相、Ｓ相、Ｔ相の各相の電流を観測し、地絡電流または過大電流の有無を常時、判断する。
【００４４】
電流検出部２１は、電力供給線８ｃの電流Ｉ１のＲ相、Ｓ相、Ｔ相の不平衡電流が、予め設定された設定値より大きい場合、地絡電流があると判断する。電流検出部２１は、電力供給線８ｃの電流Ｉ１のＲ相、Ｓ相、Ｔ相の電流のうち少なくとも一つの電流が予め設定された設定値より大きい場合、過大電流があると判断する。地絡電流または過大電流があると判断した場合、電流検出部２１は、論理「１」である異常信号を出力する。
【００４５】
本線から予備線への電力供給経路の切換えにより遮断器３ａ、３ｂ、３ｃ、３ｄとも閉路状態となる時に、電力供給線８ｃの電流Ｉ１の三相電流がアンバランスとなる不平衡電流や、電力供給線８ｃの電流Ｉ１の三相電流のうち少なくとも一つの電流が過大となる突入電流が発生する場合がある。電流検出部２１は、この不均衡電流や突入電流を、地絡電流または過大電流と誤認し、電流の異常であると判断する場合がある。その結果、電流検出部２１は、異常信号を出力する。
【００４６】
開閉検出部２２には、遮断器３ａ〜３ｄから送信された、遮断器３ａ〜３ｄの開閉状態を示すステータス信号が入力される。遮断器３ａ〜３ｄの開閉状態を示すステータス信号は、遮断器が閉路状態である場合、論理「１」を示す。開閉検出部２２は、入力された遮断器３ａ〜３ｄの開閉状態を示すステータス信号を受信して開閉状態を検出する。
【００４７】
開閉検出部２２は、ＮＡＮＤゲートからなる論理ゲート回路により構成される。開閉検出部２２は、遮断器３ａ〜３ｄの開閉状態を示すデジタル信号の論理積を演算し、この論理積が「１」である場合、つまり遮断器３ａ〜３ｄが全て閉路状態である場合に、ロック信号を、出力部２３に出力する。ロック信号は、論理「０」であるデジタル信号である。
【００４８】
出力部２３には、電流検出部２１から送信された異常信号、開閉検出部２２から送信されたロック信号が入力される。出力部２３は、ＡＮＤゲートからなる論理ゲート回路により構成される。出力部２３は、電流検出部２１から送信された異常信号が論理「１」であり開閉検出部２２から送信されたロック信号が論理「１」である場合に、論理「１」である遮断信号を、遮断の対象となる遮断器に対し出力する。
【００４９】
つまり出力部２３は、論理「０」であるロック信号を開閉検出部２２から受信した場合、異常を示す論理「１」である異常信号を電流検出部２１から受信しても、遮断信号を出力しない。一方、出力部２３は、論理「１」であるロック信号を開閉検出部２２から受信した場合、異常を示す論理「１」である異常信号を電流検出部２１から受信すると、遮断信号を出力する。
【００５０】
その結果、出力部２３は、遮断器３ａ〜３ｄが全て閉路状態である時、電流検出部２１により電流の異常が検出されても、出力部２３から遮断信号を出力しない。出力部２３は、遮断器３ａ〜３ｄの少なくとも一つが開路状態であり、かつ電流検出部２１により電流の異常が検出された場合、出力部２３から遮断信号を出力する。
【００５１】
出力部２３から遮断信号が出力された場合、保護継電器２ａに接続された遮断器３ａが遮断される。遮断器３ａ〜３ｄが全て閉路状態である時、保護継電器２ａにより遮断器３ａは遮断されない。
【００５２】
［１−４．効果］
本実施形態によれば、複数の遮断器３ａ〜３ｄの開閉状態を検出し、複数の遮断器３ａ〜３ｄの全てが閉状態である時に、ロック信号を出力する開閉検出部２２と、電流検出部２１から異常信号が出力された場合であり、かつ開閉検出部２２からロック信号が出力されないときに、所望の遮断器３に遮断信号を出力する出力部２３と、を備えるので、電力系統の電力供給経路の変更時における、遮断器３による不適切な遮断を防ぎ、安定した電力供給を行うことができる。
【００５３】
本実施形態によれば、複数の遮断器３は、少なくとも電力系統における本線の電力供給線を開閉する第１の遮断器３ａと、電力系統における予備線の電力供給線を開閉する第２の遮断器３ｂとを含み、電力系統保護装置２の開閉検出部２２は、少なくとも第１の遮断器３ａおよび第２の遮断器３ｂの開閉状態を検出し、出力部２３は、遮断器３が全て閉路状態である時、電流検出部２１により電流の異常が検出されても、出力部２３から遮断信号を出力しないので、メンテナンス時等の電力供給経路の変更時における、意図しない遮断器３の遮断を防ぐことができる。
【００５４】
本実施形態によれば、電力系統保護装置２の電流検出部２１は、電流の異常として、地絡電流または過大電流が検出された時に異常信号を出力し、出力部２３は、遮断器３の少なくとも一つが開路状態である場合、遮断信号を出力し、所望の遮断器３が遮断されるので電力系統を適切に保護することができる。
【００５５】
本実施形態によれば、電力系統保護装置２の開閉検出部２２は、複数の遮断器３の開閉状態を検出し論理積を演算する論理回路を有するので、小型な回路で電力系統保護装置２を実現することができる。
【００５６】
［２．他の実施形態］
変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００５７】
（１）上記実施形態では、開閉検出部２２は、遮断器３の閉状態を論理「１」として演算するものとしたが、開閉状態を示す論理はこれに限られない。また、開閉検出部２２に入力される遮断器３の開閉状態を示すデジタル信号は、ステータス信号に限られず、シリアル信号等によるコードであってもよい。
【００５８】
（２）上記実施形態では、開閉検出部２２から出力されるロック信号が論理「０」で、出力部２３から遮断信号が出力されないようにしたが、ロック信号を示す論理はこれに限られない。またロック信号は、ステータス信号に限られず、シリアル信号等によるコードであってもよい。
【００５９】
（３）上記実施形態では、出力部２３から出力される遮断信号は論理「１」で、遮断器３の遮断を行うものとしたが、遮断信号を示す論理はこれに限られない。また遮断信号は、ステータス信号に限られず、シリアル信号等によるコードであってもよい。
【００６０】
（４）上記実施形態では、開閉検出部２２は、論理ゲート回路により構成されるものとしたが、開閉検出部２２の構成はこれに限られない。図３に示すように、開閉検出部２２に複数の遮断器３の開閉状態を示す接点信号が入力されるようにし、この接点信号の導通状態を検出するループ検出回路２４を有するようにしてもよい。ループ検出回路２４は、複数の遮断器３の接点信号が直列になるように配線された回路により構成される。ループ検出回路２４は、複数の遮断器３の接点信号が全て閉路状態である時の導通を検出する。複数の遮断器３の接点信号の全てが閉路状態であり、ループ検出回路２４により導通が検出された場合に、開閉検出部２２は出力部２３にロック信号を出力する。
【符号の説明】
【００６１】
1・・・電力系統保護システム
２、２ａ、２ｂ・・・保護継電器
３、３ａ、３ｂ、３ｃ、３ｄ・・・遮断器
８、８ａ、８ｂ、８ｃ、８ｄ、８ｅ・・・電力供給線
９、９ａ、９ｂ・・・電力供給源
２１・・・電流検出部
２２・・・開閉検出部
２３・・・出力部
２４・・・ループ検出回路
【図１】
2019068692.tif 000003
【図２】
2019068692.tif 000004
【図３】
2019068692.tif 000005